(57)【特許請求の範囲】
【請求項１】
温度及び／又は湿度を調整する空調装置と、殺菌水を生成する殺菌水生成装置と、該空調装置で調整した空気に該殺菌水生成装置で生成した殺菌水を噴霧する殺菌水霧化装置と、殺菌水を噴霧した空気を所定の場所に導くダクトとを備え、該殺菌水霧化装置で生成した殺菌水の霧を気化させる殺菌水気化装置を該殺菌水霧化装置の下流側に有し、該殺菌水は希次亜塩素酸ナトリウム水溶液又は希亜塩素酸ナトリウム水溶液からなることを特徴とする空調設備。
【請求項２】
前記殺菌水気化装置が、外殻と、該外殻内に設けられた拡散筒とを備え、該拡散筒が周面に複数個の孔を有し、該拡散筒の一方の端部は前記殺菌水霧化装置の噴霧側に接続され、殺菌水の霧を噴霧された空気は該拡散筒の該複数個の孔を通って該拡散筒と該外殻の間の空間内に放出されるようになっていることを特徴とする請求項１に記載の空調設備。
【請求項３】
前記空調装置で温度及び／又は湿度を調整した空気の一部が該拡散筒と該外殻の間の空間内に放出されるようになっていることを特徴とする請求項２に記載の空調設備。
【請求項４】
前記殺菌水のｐＨが４．０〜７．５であることを特徴とする請求項１〜３のいずれかに記載の空調設備。
【請求項５】
前記殺菌水が炭酸水素ナトリウムを含有していることを特徴とする請求項１〜４のいずれかに記載の空調設備。
【請求項６】
噴霧する殺菌水の高さを一定化させるレベル安定化装置を前記殺菌水霧化装置に設けたことを特徴とする請求項１〜５のいずれかに記載の空調設備。
【請求項７】
前記殺菌水霧化装置に内部を洗浄するための高圧洗浄ノズルを設けたことを特徴とする請求項１〜６のいずれかに記載の空調設備。
【請求項８】
前記空調装置と前記殺菌水霧化装置の間に風向調整装置を設けたことを特徴とする請求項１〜７のいずれかに記載の空調設備。
【発明の詳細な説明】
【０００１】
【発明の属する技術分野】
この発明は、例えば希薄な次亜塩素酸ナトリウム水溶液等からなる殺菌水の霧を気化させた空気を所定の場所に供給する、特に食品工場、厨房、病院、福祉施設等に設置して好適な空調設備に関するものである。
【０００２】
【従来の技術】
食品工場、厨房、病院、福祉施設等においては落下菌対策が非常に重要である。そのため、空気の取り入れ口に高性能フィルターを取り付け、浮遊有機物、菌類の室内への侵入を防止している。
【０００３】
【発明が解決しようとする課題】
しかし、高性能フィルターは高価で、ランニングコストが高く、また、高性能フィルターが特殊廃棄物で、処分が面倒であるという問題がある。また、高性能フィルターは空気の取り入れ口に設置されており、それより下流のダクト内に繁殖したカビ（後述）に起因する落下菌に対しては効果がない。
【０００４】
また、空調設備のダクトの内面にカビが繁殖し、このカビが二次汚染源になる場合がある。これは、空調停止時に室内の浮遊有機物がダクト内に逆流し、ダクト内面に付着したり、空調設備の入り側の空気中に含まれる浮遊有機物がダクト内面に付着し、これがカビの栄養源となり、空気中の水分とでカビが繁殖することになるものと思われる。
【０００５】
本発明は、空調設備のダクトの内面に繁殖したカビに起因する落下菌に対して特に効果の有る空調設備を提供することを目的とする。
【０００６】
【課題を解決するための手段】
本発明に係る空調設備は、温度及び／又は湿度を調整する空調装置と、殺菌水を生成する殺菌水生成装置と、該空調装置で調整した空気に該殺菌水生成装置で生成した殺菌水を噴霧する殺菌水霧化装置と、殺菌水を噴霧した空気を所定の場所に導くダクトとを備え、該殺菌水は希次亜塩素酸ナトリウム水溶液又は希亜塩素酸ナトリウム水溶液からなるものである。
【０００７】
ここで、この空調設備は殺菌水霧化装置で生成した殺菌水の霧を気化させる殺菌水気化装置を該殺菌水霧化装置の下流側に有していてもよい。殺菌水気化装置としては、外殻と、該外殻内に設けられた拡散筒とを備え、該拡散筒が周面に複数個の孔を有し、該拡散筒の一方の端部は前記殺菌水霧化装置の噴霧側に接続され、殺菌水の霧を噴霧された空気は該拡散筒の該複数個の孔を通って該拡散筒と該外殻の間の空間内に放出されるようになっているものを使用することができる。
【０００８】
この場合、前記空調装置で温度及び／又は湿度を調整した空気の一部が該拡散筒と該外殻の間の空間内に放出されるようになっていてもよい。
【０００９】
前記殺菌水のｐＨは４．０〜７．５であることが好ましい。ｐＨがこの範囲にあると次亜塩素酸ナトリウムの濃度をかなり希薄にしても大きな殺菌力が得られるが、ｐＨがこの範囲を逸脱すると次亜塩素酸ナトリウムの濃度をかなり高くしても充分な殺菌力が得られないからである。
【００１０】
また、前記殺菌水には炭酸水素ナトリウムを含有させてもよい。前記殺菌水中に炭酸水素ナトリウムを含有させるとダクトの裏側に発生し易いカビの発生と、このカビによる二次汚染を防止することができる。
【００１１】
殺菌水中に炭酸水素ナトリウムを含有させることによりカビの発生が抑制されるのは次の理由による。すなわち、真菌類・カビ類は、二酸化炭素により発育が阻害されることが知られている。前記殺菌水に炭酸水素ナトリウムを含有させると、殺菌水を酸でｐＨ調整する際に炭酸が生成され、殺菌水を噴霧気化させるとこの炭酸が二酸化炭素になって気化雰囲気中に含有され、この二酸化炭素がカビの繁殖を抑制することになる。
【００１２】
殺菌水中に含有させる炭酸水素ナトリウムの濃度は少な過ぎても良くないし、多過ぎても良くない。少な過ぎる場合はカビの発育抑制効果が不充分であり、多過ぎる場合は気化雰囲気中に炭酸水素ナトリウムの粉が多くなり、室内が炭酸水素ナトリウムの粉で汚れることになるからである。
【００１３】
前記殺菌水霧化装置には殺菌水の高さを一定化させるレベル安定化装置を設けてもよい。殺菌水霧化装置にレベル安定化装置を設けた場合は、噴霧によって生成された霧の径が均一になるので、霧が均一に気化され、霧のまま漂うものが少なくなり、ダクトを局部的に濡らしてそこを腐食させることがなくなったり、超音波振動子にかかる負荷の変動による負荷が減るので、超音波振動子の寿命が長くなる。
【００１４】
また、前記殺菌水霧化装置には霧化水槽の内部を洗浄する高圧洗浄ノズルを設けてもよい。高圧洗浄ノズルを設け、殺菌水霧化装置の内部を定期的に洗浄すれば、殺菌水霧化装置の内部がきれいに保たれ、殺菌水霧化装置が汚染源になることが避けられる。
【００１５】
前記殺菌水霧化装置に使用する殺菌水は、それ自体が強力な殺菌効果を有する水溶液なので、レジオネラ属菌の繁殖の危険はないが、霧を送り出す空気中には菌以外にもほこりなどを含んでいるので、霧化水槽中の殺菌水を定期的に自動排水し、高圧洗浄ノズルで洗浄することにより、常に衛生的に保つことができる。
【００１６】
【発明の実施の形態】
図１はこの発明の一実施の形態に係る空調設備の説明図、図２は図１の空調設備の殺菌水霧化装置の説明図である。
【００１７】
１０は空調装置であり、空調装置１０は、空気取入部１２と、空気取入部１２によって取り入れられた空気を除湿又は冷暖房する空調装置本体１４とからなる。空気取入部１２の内部には吸気ファン１６が設けられ、空気取入部１２の開口部（図１では左側の部分）にはフィルター１８が取り付けられている。
【００１８】
吸気ファン１６によって吸引された空気はフィルター１８によってチリを除去され、空気取入部１２内に取り込まれる。空気取入部１２内に取り込まれた空気は吸気ファン１６によって空調装置本体１４に送られる。空調装置本体１４は熱交換器からなる冷暖房装置になっており、送られてきた空気の温度及び／又は湿度はここで調整される。
【００１９】
空調装置本体１４の出側（図１では右側）には連結送風管２０及び風向調整器２２を介して殺菌水霧化装置２４が取り付けられ、殺菌水霧化装置２４の出側（図１では右側）には殺菌水気化装置２６が設けられている。殺菌水気化装置２６にはダクト配管２８の端部が連結され、ダクト配管２８は所望の場所まで配設されている。
【００２０】
風向調整器２２は殺菌水霧化装置２４に供給される空気を負荷無しに整流し、殺菌水霧化装置２４で殺菌水の霧を霧化させるときに使用される空気と、殺菌水気化装置２６内において拡散筒３０から排出された殺菌水の霧を混合させた空気を外側から包むように送る空気とに分割する装置である。この風向調整器２２は殺菌水の霧が逆流し、空調装置本体１４を腐食させないようにする働きもある。
【００２１】
殺菌水霧化装置２４では殺菌水の霧が生成・排出され、空調装置１０によって温度及び湿度が調整された空気中に噴霧される。この空気は空調装置１０によって温度及び湿度が調整されているので、噴霧された殺菌水の霧は直ちに気化し、殺菌水気化装置２６内やダクト配管２８内が殺菌水によって濡れることが防止される。
【００２２】
殺菌水霧化装置２４は、霧化水槽３２と、霧化水槽３２に殺菌水を供給する霧化水槽給水一次水槽３４とからなり、霧化水槽３２と霧化水槽給水一次水槽３４は霧化水槽給水管３６により連結されている。霧化水槽給水管３２の途中にはポンプ３８が設けられ、霧化水槽給水一次水槽３４の殺菌水はポンプ３８により霧化水槽３２に供給されるようになっている。
【００２３】
霧化水槽３２の底部には殺菌水を霧化させる超音波振動子４０，４０が２個設置され、霧化水槽３２内の殺菌水は超音波振動子４０，４０によって超音波振動させられて、霧化させられるようになっている。
【００２４】
霧化水槽３２の側部には霧化水槽３２内の殺菌水が流れ込むようにオーバーフロー部４２が設けられ、オーバーフロー部４２にはリターン管４４が設置され、リターン管４４は霧化水槽給水一次水槽３４に至っている。リターン管４０の上端部は霧化水槽３２内の殺菌水が所定の高さでオーバーフローするような高さ位置に設定されている。
【００２５】
霧化水槽３２の底部には霧化水槽３２の底部より更に低く凹んだ排水部４６が設けられ、排水部４６の底部には排水管４８が接続され、排水管４８の途中には電磁弁５０が設けられている。
【００２６】
霧化水槽給水一次水槽３４には水位センサー５２が取り付けられ、殺菌水のレベルが一定に保たれるようになっている。また、霧化水槽給水一次水槽３４には殺菌水生成装置（図示せず）からの給水ライン５４が接続され、殺菌水が殺菌水生成装置（図示せず）から連続的に供給されるようになっている。
【００２７】
また、霧化水槽３２の内部には霧化水槽３２の内部を洗浄する高圧洗浄ノズル５６が設けられ、給水ライン５４から高圧洗浄ノズル５６に至る給水管５８が設けられ、給水管５８の途中には電磁弁６０が取り付けられている。
【００２８】
ポンプ３８、超音波振動子４０、電磁弁５０、水位センサー５２及び電磁弁６０は制御装置６２によって制御されている。
【００２９】
殺菌水気化装置２６は、外殻６４と、外殻６４内に設けられた拡散筒６６とからなり、拡散筒６６は周面に複数個の孔６８を有し、拡散筒６６の一方の端部は殺菌水霧化装置２４の噴霧側に接続され、殺菌水の霧を噴霧された空気は拡散筒６６の複数個の孔６８を通って拡散筒６６と外殻６４の間の空間内に放出されるようになっている。また、空調装置１０で温度及び／又は湿度を調整した空気の一部は拡散筒６６と外殻６４の間の空間内に放出されるようになっている。
【００３０】
前記殺菌水のｐＨは４．０〜７．５の間で調節されている。前記殺菌水には炭酸水素ナトリウムが含有している。前記殺菌水中に炭酸水素ナトリウムを含有させるとダクト配管２８の裏側に発生し易いカビの発生と、このカビによる二次汚染を防止することができる。
【００３１】
【発明の効果】
本発明によれば、ダクト配管の内面におけるカビの繁殖が殺菌水の噴霧気化成分によって抑制され、ダクト配管の内面がカビの発生源にならなくなり、空調設備に起因する落下菌が大幅に減少するという効果がある。
【００３２】
また、本発明によれば、空気中のカビが殺菌水の噴霧気化成分により殺菌又は弱化され、供給される空気がきれいになり、生きた或いは元気の良い落下菌が大幅に減少するという効果がある。
【００３３】
また、本発明によれば、空調装置で湿度を低くした空気に殺菌水を噴霧するので、殺菌水の霧の気化速度が早くなり、ダクト内での無用な結露を避け、ダクト内の局部的な腐食を避けることができるという効果がある。
【００３４】
また、本発明によれば、空調装置で湿度を低くした空気に殺菌水を噴霧するので、屋内の各所に供給する空気について殺菌水の噴霧に起因する無用な湿度上昇を避けることができるという効果がある。
【００３５】
また、本発明によれば、風向調整器を設けた場合、霧の逆流を防止し、殺菌水の霧を含んだ空気による空調装置の腐食を防止することができるという効果がある。
【００３６】
また、本発明によれば、前記殺菌水のｐＨを４．０〜７．５とした場合、殺菌水の気化成分の殺菌力が特に大きくなるという効果がある。
【００３７】
また、本発明によれば、前記殺菌水に炭酸水素ナトリウムを含有させた場合、ダクト配管の内面に発生し易いカビの発生と、このカビによる二次汚染を防止することができるという効果がある。
【００３８】
また、本発明によれば、霧化水槽に殺菌水の高さを一定化させるレベル安定化装置を設けた場合、噴霧によって生成された霧の径が均一になるので、霧が均一に気化され、霧のまま漂うものが少なくなり、ダクト配管を局部的に濡らしてそこを腐食させることがなくなるという効果がある。
【００３９】
また、本発明によれば、殺菌水霧化装置に殺菌水の高さを一定化させるレベル安定化装置を設けた場合、超音波振動子にかかる負荷変動による負荷が減り、超音波振動子の寿命が長くなるという効果がある。
【００４０】
また、本発明によれば、前記殺菌水霧化装置に霧化水槽の内部を洗浄する高圧洗浄ノズルを設け、殺菌水霧化装置の内部を定期的に洗浄すれば、殺菌水霧化装置の内部がきれいに保たれ、霧化水槽が汚染源になることが避けられるという効果がある。
【図面の簡単な説明】
【図１】本発明の一実施の形態に係る空調設備の説明図である。
【図２】本発明の一実施の形態に係る空調設備で使用する殺菌水霧化装置の説明図である。
【符号の説明】
１０  空調装置
１２  空気取入部
１４  空調装置本体
１６  吸気ファン
１８  フィルター
２０  連結送風管
２２  風向調整器
２４  殺菌水霧化装置
２６  殺菌水気化装置
２８  ダクト配管
３０  拡散筒
３２  霧化水槽
３４  霧化水槽給水一次水槽
３６  霧化水槽給水管
３８  ポンプ
４０  超音波振動子
４２  オーバーフロー部
４４  リターン管
４６  排水部
４８  排水管
５０  電磁弁
５２  水位センサー
５４  給水ライン
５６  高圧洗浄ノズル
５８  給水管
６０  電磁弁
６２  制御装置
６４  外殻
６６  拡散筒
６８  孔
【図１】
0003916935.tif 000002
【図２】
0003916935.tif 000003